【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
治療用途および／または集中的な走行トレーニングのためのトレッドミル・エルゴメーター（３００）であって、
前記トレッドミル・エルゴメーターに、複数の力引き出し装置（１０１）が連結されており、前記力引き出し装置は、トレーニングを行っている人の手足および／または胴体に動きがあるときに前記手足および／または前記胴体に力が加えられるように、前記力引き出し装置の自由端領域において前記手足および／または前記胴体に連結可能であり、
（Ａ）右側前方トレーニング装置（４００、４０２）及び左側前方トレーニング装置（４００、４０１）が前記トレッドミル・エルゴメーター（３００）のトレッドミル入口に接続され、右側後方トレーニング装置（５００、５０２）及び左側後方トレーニング装置（５００、５０１）が前記トレッドミル・エルゴメーター（３００）の端部に接続され、
（Ｂ）前記力引き出し装置（１０１）が前記前方／後方トレーニング装置（４００、５００）の他方の端部に接続され、
（Ｃ）前記前方トレーニング装置（４００）が前記トレッドミル・エルゴメーター（３００）に対して回転可能に配置され、特に求められ且つトレーニング中に変更できる位置からの力引き出し部の牽引を可能にし、
（Ｄ）前記力引き出し装置（１０１）は前記前方／後方トレーニング装置（４００、５００）に対して水平方向および垂直方向に摺動可能に接続され、特に求められ且つトレーニング中に変更できる位置からの力引き出し部の牽引を可能にし、
（Ｅ）前記力引き出し装置（１０１）の引き出す力および位置が測定機器で技術的に記録され且つ文書化されてトレーニング計画として再現可能であるか、または、
中央コンピューターユニット（８０８）、及び、電源と一体であり且つインターフェイスコンバーターと一体である中央システム（８０７）が設けられており、前記中央コンピューターユニットおよび前記中央システムは、駆動および回転モーター（７０１、７０８、７１２、７１６、７２３、７２５、７２９、７３１、７３３）の起動、および、双方向データ伝送によるインクリメンタルエンコーダー（７０２、７０９、７１３、７１７、７２４、７２６、７３０、７３２、７３４）の評価、およびそれぞれの測定値センサー（６０９）の評価を実現し、これにより、トレーニングパラメーターを予め設定し、かつ設定を規定することができる、トレッドミル・エルゴメーター。
【請求項２】
前記力引き出し装置（１０１）は、弾性的に引き出すことができるように形成されており、具体的には牽引綱を備えている、請求項１に記載のトレッドミル・エルゴメーター。
【請求項３】
前方トレーニング装置（４００）における、前記トレッドミル・エルゴメーター（３００）の前記力引き出し装置（１０１）の引き出し位置は、ロック管（４０３）上の移動及び係合によって、垂直方向に設定可能であり、且つ、２つのロック要素（４０４）によって設定し固定できる前方左側トレーニング装置（４０１）および／または２つのロック要素（４０５）によって設定し固定できる前方右側トレーニング装置（４０２）を回転させることによって、水平方向に設定可能であり、これにより、前記力引き出し装置（１０１）の前記引き出し位置が前記トレッドミル・エルゴメーター（３００）の前方または側方に位置する領域においても設定可能であり、長手方向に対して２７０°（度）の少なくとも１つの設定範囲を有し、且つ／または、
後方トレーニング装置（５００）における、前記力引き出し装置（１０１）の前記引き出し位置は、ロック管（５０３）上の移動及び係合によって垂直方向に設定可能であり、且つ、ロック管（５０４）上の移動及び係合によって水平方向に設定可能であり、前記後方トレーニング装置（５００）は、左側後方トレーニング装置（５０１）と右側後方トレーニング装置（５０２）を備えており、前記左側後方トレーニング装置および前記右側後方トレーニング装置の各々は、前記ロック管（５０４）上で独立して移動でき、所定位置にロックすることにより固定できる、請求項１または２に記載のトレッドミル・エルゴメーター。
【請求項４】
前記力引き出し装置（１０１）は、牽引装置（２００）から引き出されることができ、前記牽引装置は、互いに対向する２つの方向転換ローラー装置（１０２）を備えており、
前記弾性牽引綱（１０３）を固定するための綱止め（１０４）が、様々な位置に移動させられることができ、これにより、引き出す力を変化させ、具体的には増加させることができ、且つ／または、
前記方向転換ローラー装置（１０２）は、互いに対して移動させ固定可能であるように形成され、これにより、引き出す力を変化させ、具体的には減少させることができる、請求項１から３の１つまたは複数に記載のトレッドミル・エルゴメーター。
【請求項５】
前記前方トレーニング装置（４００）および／または前記後方トレーニング装置（５００）に、測定値センサー（６０９）と一体の牽引装置（６００）が設けられており、前記牽引装置は、例えば、引き出す力、予め加える張力、ステップ周波数、ステップ長さ、行われた仕事量、および、前記トレッドミル・エルゴメーター（３００）の速度同期までの性能など、トレッドミル・エルゴメーター（３００）を用いたトレーニングの全てのパラメーターを測定、制御および監視可能にする、請求項１から４の１つまたは複数に記載のトレッドミル・エルゴメーター。
【請求項６】
測定値センサー装置（６０１）に、測定値センサー（６０９）として線形電位差計が内蔵される、請求項５に記載のトレッドミル・エルゴメーター。
【請求項７】
前記測定値センサー（６０９）は、ロードセルとして、または磁場誘起装置として形成される、請求項５に記載のトレッドミル・エルゴメーター。
【請求項８】
前記測定値センサー（６０９）の評価は、前記測定値センサー（６０９）の押し棒（６１１）の特定の長さ変化が、前記力引き出し装置（１０１）を引き出すことによって引き起こされる特定の力に常に対応するように、外部接続式調整装置（８１２）と中央コンピュータユニット（８０８）の両方によってラーンイン方式（ｌｅａｒｎ−ｉｎ  ｍｅｔｈｏｄ）で調整可能である、請求項５から７の１つまたは複数に記載のトレッドミル・エルゴメーター。
【請求項９】
モーターで調整可能な方向転換ローラー装置（７０４）が、モーターで調整可能な後方牽引装置（７００）、および／またはモーターで調整可能な前方牽引装置（７５０）に挿入される、請求項４に記載のトレッドミル・エルゴメーター。
【請求項１０】
前記前方トレーニング装置（４００）だけでなく前記後方トレーニング装置（５００）、前記前方トレーニング装置（７５０）および前記後方トレーニング装置（７００）もまた独立して個々に、または様々な組み合わせでトレッドミル・エルゴメーター（３００）に取り付けられており、この取り付けを前記トレッドミル・エルゴメーター（３００）の機械的な変更なしに可能にするアダプター部品が設けられるように実現される、請求項１から９の１つまたは複数に記載のトレッドミル・エルゴメーター。
【請求項１１】
トレッドミル・エルゴメーター（３００）は、走行面に市販の力測定装置および／または圧力測定装置を組み込んでおり、前記力測定装置および／または圧力測定装置は、ディスプレイ上で視覚的応答表示（バイオフィードバック）を試験者に与え、これにより、試験者に歩行パターン改善の成功を示す、請求項１から１０の１つまたは複数に記載のトレッドミル・エルゴメーター。
【請求項１２】
トレッドミル・エルゴメーター（３００）は、走行面に市販の力測定装置および／または圧力測定装置を組み込んでおり、前記力測定装置および／または圧力測定装置は、ディスプレイ上で視覚的応答表示（バイオフィードバック）を試験者に与え、これにより、試験者に歩行パターン改善の成功を示し、さらに、試験者の歩行パターンが治療専門家が予め設定したものおよび標準値に対応し、かつ／あるいは、理想的な歩行パターンおよび両足への理想的な地面反力に同期しかつ／または導くように、牽引装置の牽引負荷および／または牽引方向を電子的に制御する、請求項１から１１の１つまたは複数に記載のトレッドミル・エルゴメーター。
【請求項１３】
トレッドミル・エルゴメーター（３００）は、代替牽引装置、測定値センサー、および、代替牽引装置における電子制御部を有し、具体的にはフランジに取り付けたケーブルドラムがある市販のサーボモーター、磁気式巻き上げモーター、空気圧式牽引装置等を有し、前記サーボモーター、磁気式巻き上げモーター、空気圧式牽引装置等は、存在する前記ディスプレイおよびコンピューターユニットおよびインターフェイスに接続および連結される、請求項１から１２の１つまたは複数に記載のトレッドミル・エルゴメーター。